(57)【要約】【課題】撮影ロボットなどで撮影した画像データと被写体とを関連付けて管理する撮影管理システムを提供すること。【解決手段】遊園地の来場者にＩＤタグ２を発行する。遊園地内には、複数の撮影ロボット１が走行している。そのうちの１台の撮影ロボット１に撮影を指示すると、撮影ロボット１は指示した来場者を撮影する。このとき、来場者が携帯するＩＤタグ２からＩＤコードを受信して、撮影した画像データとＩＤコードとを関連付けて記憶する。撮影ロボット１は、記憶した画像データとＩＤコードを、画像管理装置３にも送信する。来場者が遊園地を退場するとき、撮影した写真のプリントを受け取ると同時に、撮影した枚数に該当する料金が請求される。来場者は、請求された料金を支払った後遊園地を退場することができる。【選択図】        図１
2005020388.tif 000002
【特許請求の範囲】
【請求項１】
所定のエリアへの来場者が携帯可能であり、前記来場者を識別する識別情報を記録し、前記記録した識別情報を送信する識別情報記録手段と、
被写体を撮影して画像データを生成し、前記識別情報記録手段から送信される前記識別情報を受信する撮影手段とを備え、
前記撮影手段は、第１の記憶手段を有し、前記被写体を撮影したとき、前記生成した画像データを前記第１の記憶手段に記憶するとともに、前記被写体を撮影したときに受信した前記識別情報を前記画像データと関連付けて前記第１の記憶手段に記憶することを特徴とする撮影管理システム。
【請求項２】
請求項１に記載の撮影管理システムにおいて、
第２の記憶手段を有する画像管理手段をさらに備え、
前記撮影手段は、前記第１の記憶手段が記憶する前記画像データと前記識別情報とを前記画像管理手段に送信する送信手段を備え、
前記画像管理手段は、前記撮影手段が送信する前記画像データと前記識別情報とを受信し、受信した前記画像データを前記識別情報ごとに管理できるように前記第２の記憶手段に記憶することを特徴とする撮影管理システム。
【請求項３】
請求項２に記載の撮影管理システムにおいて、
前記来場者の入退場を管理する入退場管理手段をさらに備え、
前記入退場管理手段は、前記来場者が前記所定のエリアへ入場することを検出する入場検出手段と、前記識別情報記録手段を前記来場者に発行する発行手段とを有することを特徴とする撮影管理システム。
【請求項４】
請求項３に記載の撮影管理システムにおいて、
前記入退場管理手段は、前記来場者が前記所定のエリアから退場することを検出する退場検出手段と、前記第２の記憶手段に記憶された前記画像データおよび前記識別情報に基づき、前記識別情報が表す前記退場する来場者の画像データについて課金する課金手段をさらに備えることを特徴とする撮影管理システム。
【請求項５】
請求項４に記載の撮影管理システムにおいて、
前記課金手段は、前記画像データの数量と料金に関する対応表を有し、前記対応表に基づいて課金することを特徴とする撮影管理システム。
【請求項６】
請求項１に記載の撮影管理システムにおいて、
前記撮影手段は、前記被写体を撮影したときの日時に関する時間情報を生成し、前記画像データと前記時間情報とを前記第１の記憶手段に記憶することを特徴とする撮影管理システム。
【請求項７】
請求項１に記載の撮影管理システムにおいて、
前記撮影手段は、前記撮影手段を独立して走行可能にする走行手段と、前記撮影手段の現在地を検出する現在地検出手段とを備え、前記現在地検出手段により検出された現在地に関する地点情報を前記画像データとともに前記第１の記憶手段に記憶することを特徴とする撮影管理システム。
【発明の詳細な説明】
【０００１】
【発明の属する技術分野】
本発明は、観光施設などへの来場者を撮影ロボットなどで撮影し、撮影した画像データを管理する撮影管理システムに関する。
【０００２】
【従来の技術】
人間サイズの移動型撮影ロボットが知られている（例えば、非特許文献１参照）。この撮影ロボットは、デジタルカメラを搭載し、移動しながら人の写真を撮る。撮影した画像は画像データとしてデータベースに保存する。
【０００３】
【非特許文献１】
メディアアンドマシン研究所ワシントン大学セントルイス（Ｍｅｄｉａ  ａｎｄ  Ｍａｃｈｉｎｅｓ  ｌａｂ  ａｔ  Ｗａｓｈｉｎｇｔｏｎ  Ｕｎｉｖｅｒｓｉｔｙ  ｉｎ  Ｓｔ．  Ｌｏｕｉｓ）、”撮影ロボットルイス（Ｌｅｗｉｓ  ｔｈｅ  Ｒｏｂｏｔ  Ｐｈｏｔｏｇｒａｐｈｅｒ）”、［ｏｎｌｉｎｅ］、［２００３年５月２８日検索］、インターネット＜ｈｔｔｐ：／／ｗｗｗ．ｃｓ．ｗｕｓｔｌ．ｅｄｕ／ＭｅｄｉａＡｎｄＭａｃｈｉｎｅｓ／Ｌｅｗｉｓ／ｉｎｄｅｘ．ｈｔｍｌ＞
【０００４】
【発明が解決しようとする課題】
しかし、この撮影ロボットは、被写体である撮影された人と画像データとを関連付ける機能を有していない。
【０００５】
本発明は、例えば撮影ロボットなどで撮影した画像データと被写体とを関連付けて管理する撮影管理システムを提供する。
【０００６】
【課題を解決するための手段】
請求項１の発明は撮影管理システムに適用され、所定のエリアへの来場者が携帯可能であり、来場者を識別する識別情報を記録し、記録した識別情報を送信する識別情報記録手段と、被写体を撮影して画像データを生成し、識別情報記録手段から送信される識別情報を受信する撮影手段とを備え、撮影手段は、第１の記憶手段を有し、被写体を撮影したとき、生成した画像データを第１の記憶手段に記憶するとともに、被写体を撮影したときに受信した識別情報を画像データと関連付けて第１の記憶手段に記憶することを特徴とするものである。
請求項２の発明は、請求項１に記載の撮影管理システムにおいて、第２の記憶手段を有する画像管理手段をさらに備え、撮影手段は、第１の記憶手段が記憶する画像データと識別情報とを画像管理手段に送信する送信手段を備え、画像管理手段は、撮影手段が送信する画像データと識別情報とを受信し、受信した画像データを識別情報ごとに管理できるように第２の記憶手段に記憶することを特徴とするものである。
請求項３の発明は、請求項２に記載の撮影管理システムにおいて、来場者の入退場を管理する入退場管理手段をさらに備え、入退場管理手段は、来場者が所定のエリアへ入場することを検出する入場検出手段と、識別情報記録手段を来場者に発行する発行手段とを有することを特徴とするものである。
請求項４の発明は、請求項３に記載の撮影管理システムにおいて、入退場管理手段は、来場者が所定のエリアから退場することを検出する退場検出手段と、第２の記憶手段に記憶された画像データおよび識別情報に基づき、識別情報が表す退場する来場者の画像データについて課金する課金手段をさらに備えることを特徴とするものである。
請求項５の発明は、請求項４に記載の撮影管理システムにおいて、課金手段は、画像データの数量と料金に関する対応表を有し、対応表に基づいて課金することを特徴とするものである。
請求項６の発明は、請求項１に記載の撮影管理システムにおいて、撮影手段は、被写体を撮影したときの日時に関する時間情報を生成し、画像データと時間情報とを第１の記憶手段に記憶することを特徴とするものである。
請求項７の発明は、請求項１に記載の撮影管理システムにおいて、撮影手段は、撮影手段を独立して走行可能にする走行手段と、撮影手段の現在地を検出する現在地検出手段とを備え、現在地検出手段により検出された現在地に関する地点情報を画像データとともに第１の記憶手段に記憶することを特徴とするものである。
【０００７】
【発明の実施の形態】
先ず、図１〜図５を参照しながら、本撮影管理システムの概略を説明する。図１は、本発明の一実施形態である遊園地の撮影管理システムの構成を示すブロック図である。本撮影管理システムは、撮影ロボット１、ＩＤタグ２、画像管理装置３、課金装置４、入退場登録機５、ＩＤタグ発券機６とを備えている。
【０００８】
本実施の形態の撮影管理システムでは、遊園地内に複数の撮影ロボット１が配置されている。撮影ロボット１は、遊園地内に例えば１０台設置されていて、それぞれがＩＤタグ２から発信される電波を受信しながら、独立して走行している。１０台の撮影ロボット１には、それぞれ１〜１０の撮影ロボット番号が記憶されている。遊園地内を大まかに１０個の区画に分割し、これら１０台の撮影ロボット１が１０個の区画をそれぞれ担当する。例えば、撮影ロボット番号が１の撮影ロボット１は観覧車前の区画に配置されており、撮影ロボット番号が２の撮影ロボット１はジェットコースタ前の区画に配置されており、撮影ロボット番号が１０の撮影ロボット１はレストラン内の区画に配置されている。遊園地来場者（入場者）が、ＩＤタグ２を携帯しながら遊園地内の任意の場所で撮影ロボット１の前に立って、撮影ロボット１に撮影を指示すると、その撮影ロボット１は指示されたアングルでその来場者を撮影する。来場者が遊園地を退場するとき、来場者は複数の撮影ロボット１により撮影された写真を、料金を支払うことにより退場口でまとめて受け取ることができる。
【０００９】
図２は、撮影ロボット１の構成を示すブロック図である。撮影ロボット１は、ＣＰＵ１１、撮影ボタン１２、一時メモリ１３、撮影装置１４、画像メモリ１５、時計１６、無線回路１７、ＧＰＳ装置１８、走行装置１９を備えている。撮影ロボット１は、遊園地内を独立走行可能である。撮影ロボット１は、静止した状態で撮影装置１４により被写体を撮影する。撮影装置１４は、ＣＣＤなどの撮像素子を備え、被写体を撮影し画像データを生成する。被写体は、撮影を指示した来場者やその来場者と共にその場にいる人物などである。ＣＰＵ１１は、生成された画像データを、画像メモリ１５に記憶する。なお、撮影装置１４を市販のデジタルカメラに置きかえることも可能である。
【００１０】
図３は、ＩＤタグ２の構成を示すブロック図である。ＩＤタグ２は、ＣＰＵ２１、ＩＤメモリ２２、履歴メモリ２３、無線回路２４を備えている。ＩＤタグ２は、ＩＤメモリ２２に来場者を識別するＩＤコードが書き込まれ、書き込まれたＩＤコードを無線回路２４により外部に送信する携帯可能なＩＣカードである。来場者１人に１個のＩＤタグ２が携帯されるため、遊園地内には複数個のＩＤタグ２が存在する。無線回路２４が出力する無線の周波数は、ＩＤタグ２毎に固有である。ＩＤタグ２の内部回路はＩＣにより構成され、ＩＤタグ発券機６または撮影ロボット１からの無線による非接触電力伝送で動作するため電源は不要であり、携帯に便利なように構成されている。ＩＣタグとも呼ばれる。
【００１１】
図４は、画像管理装置３の構成と課金装置４の構成を示すブロック図である。画像管理装置３は、ＣＰＵ３１、無線回路３２、通信回路３３、画像管理メモリ３４、プリンタ３５を備えている。課金装置４は、ＣＰＵ４１、ディスプレイ４２、通信回路４３、集金装置４４、撮影料金表４５を備えている。
【００１２】
図５は、入退場登録機５の構成とＩＤタグ発券機６の構成を示すブロック図である。入退場登録機５は、来場者の入退場を管理する装置であり、ＣＰＵ５１、ＩＤコード発生回路５２、ゲート装置５３、通信回路５４を備える。ＩＤタグ発券機６は、ＩＤタグ２を発券あるいは発行する装置であり、ＣＰＵ６１、回収装置６２、発券装置６３、無線回路６４、通信回路６５を備える。
【００１３】
各ＣＰＵ１１、ＣＰＵ２１、ＣＰＵ３１、ＣＰＵ４１、ＣＰＵ５１、ＣＰＵ６１は、内部に格納された所定のプログラムを実行することによりそれぞれの装置、機器の制御を行う。
【００１４】
次に、来場者の動作に沿って、撮影管理システムの詳細を説明する。まず、遊園地への来場者が入場券を購入し、その入場券を入退場登録機５のゲート装置５３に挿入するところから説明を開始する。ゲート装置５３が入場券を検出すると、ＩＤコード発生回路５２が来場者を識別するためのＩＤコードを発生する。ＩＤコードは、入場券のシリアル番号等を参考に生成される。従って、ＣＰＵ５１はこのＩＤコードにより各来場者を特定することができる。なお、ＩＤコードは、シリアル番号に限らず、来場者の入場時刻など来場者を特定できる情報を基に生成されれば、どんな情報に基づいて生成されてもよい。また同様に、ＣＰＵ１１、ＣＰＵ２１、ＣＰＵ３１、ＣＰＵ４１、ＣＰＵ６１も、このＩＤコードによって来場者を特定できる。入退場登録機５のＣＰＵ５１は、このＩＤコードを通信回路５４を介してＩＤタグ発券機６に出力する。
【００１５】
ＩＤタグ発券機６は、ＩＤタグ２を例えば１０００枚ストックしている。工Ｄタグ発券機６は、入退場登録機５から出力されてくるＩＤコードを通信回路６５を介して入力すると、このＩＤコードを、ストックしているＩＤタグ２の中の１つのＩＤタグ２に無線回路６４を介して無線で送信する。なお、ＩＤタグ発券機６はＩＤタグ２にＩＤコードを赤外線通信を用いて送信してもよい。この場合は、ＩＤタグ２には電池が必要となる。この無線送信は、ＩＤタグ発券機６内部での無線送信である。
【００１６】
ＩＤタグ２は、無線回路２４を介してＩＤコードを受信すると、これをＩＤメモリ２２に記憶する。ＩＤタグ発券機６は、このＩＤコードを記憶したＩＤタグ２を発券する。来場者は、このＩＤタグ２を受け取り、所持しながら遊園地内を移動し始める。また、入退場登録機５あるいはＩＤタグ発券機６で、来場者の名前やニックネームなどを入力できるようにし、それらもＩＤメモリ２２に記憶するようにしてもよい。
【００１７】
ＩＤタグ２は、ＩＤタグ発券機６、撮影ロボット１のいずれかから非接触電力伝送により無線回路２４を通じて電力の供給を受けるとＣＰＵ２１が動作する。ＣＰＵ２１は、電力が供給されている間、ＩＤメモリ２２に記憶されたＩＤコードを繰り返し読み出し、無線回路２４を介してＩＤタグ２の周囲の半径５〜６ｍの空間にＩＤコードを無線で発信し続ける。
【００１８】
撮影ロボット１の制御は、ＣＰＵ１１により行われる。来場者が撮影ロボット１の停止スイッチ（不図示）を押すと、ＣＰＵ１１は、走行装置１９に走行中止のコマンドを出力し、撮影ロボット１を静止させる。来場者のアングルスイッチ（不図示）操作あるいは音声による指示により、撮影装置１４のアングルが決定される。来場者が撮影ボタン１２を押すと、撮影装置１４は来場者を撮影し、来場者の画像データを生成する。なお、来場者は、アングルスイッチの操作により、来場者以外の被写体、例えば来場者の同伴者やその場の景色を撮影装置１４に撮影させてもよい。ＣＰＵ１１は、生成された画像データは画像メモリ１５に記憶し、時計１６から撮影日時データを読み出して一時メモリ１３に記憶し、ＧＰＳ装置から現在地データを読み出して一時メモリ１３に記憶する。
【００１９】
ＣＰＵ１１は、複数のＩＤタグ２から電波を受信している場合には、最も強い電波が表すＩＤコードを一時メモリ１３に一時記憶する。特に、無線回路１７の受信部の撮影装置１４の前方向の指向性を強くしておけば、撮影装置１４の正面に位置する来場者のＩＤコードと画像メモリ１５に記憶される画像データとの対応関係が正確になる。
【００２０】
ＣＰＵ１１は、撮影装置１４が撮影した画像データと、一時メモリ１３に記憶されている撮影日時データと現在地データとを、一時メモリ１３に記憶しているＩＤコードに関連付けて画像メモリ１５に記憶する。
【００２１】
撮影ロボット１のＧＰＳ装置１８は、ＧＰＳ（Ｇｌｏｂａｌ  Ｐｏｓｉｔｉｏｎｉｎｇ  Ｓｙｓｔｅｍ）衛星からのＧＰＳ信号を検出して現在地を検出する装置である。撮影ロボット１は、前述のように、基本的に担当区画が割り振られているが、走行装置１９により遊園地内を自由に独立走行可能である。従って、ＣＰＵ１１は、ＧＰＳ装置１８が検出する位置を自分の現在地とする。撮影ロボット１内部に遊園地のマップを持っていれば、ＧＰＳ装置により検出された現在地データとアトラクションの名称とＩＤコードとを対応づけて、画像メモリ１５に記憶できる。どのアトラクション前であるかの現在地情報とすることができる。
【００２２】
ＣＰＵ１１は、画像メモリ１５に記憶した画像データと、ＩＤコードと、撮影日時と、撮影場所情報とを、ＩＤコード毎に１組にして画像管理装置３に無線回路１７を介して無線で送信する。画像管理装置３のＣＰＵ３１は、無線回路３２を介してこれらのデータを受信すると、画像データに付されたシリアル番号１０１（図６）と画像データと撮影日時データと現在地データとをＩＤコード１０２に関連付けて、画像管理メモリ３４に記憶する。シリアル番号は、各撮影ロボット１において、撮影装置１４が画像データを生成する毎に、ＣＰＵ１１が連番で割り振る数値である。撮影ロボット１は、画像メモリ１５に記憶した画像データと、撮影対象来場者のＩＤコードと、撮影日時と、撮影場所情報とを、いったん画像管理装置３に送信すると、画像メモリ１５内のデータを削除する。
【００２３】
図６は、画像管理メモリ３４に記憶される画像データとシリアル番号１０１と撮影日時データと現在地データとＩＤコードとの関連付けの一例を示す図である。図６（ａ）はシリアル番号１０１とＩＤコードと撮影日時データと現在地データの関連付けを示し、図６（ｂ）は画像データとシリアル番号の関連付けを示す。図６（ａ）において、シリアル番号１０１は、撮影ロボット番号とシリアル番号とをハイフォンで結んだデータ形式である。ＩＤコード１０２は、前述したＩＤコードである。この例では、ＩＤコード１１１１、２２２２、３３３３を有する３名の来場者が撮影をした例が示されている。撮影日時１０３には撮影日時データが記憶され、撮影場所１０４には現在地データに対応するアトラクションの名称が記録されている。
【００２４】
この例では、各撮影ロボット１は、各担当の区画内で撮影を行った例が示されている。
【００２５】
図６（ｂ）は、画像データがシリアル番号に関連付けられて画像管理メモリ３４に蓄積されていることが示されている。ＣＰＵ３１は、シリアル番号で画像管理メモリ３４に記憶されているデータを検索すれば、シリアル番号に関連付けられた画像データを短時間で取得することができる。
【００２６】
来場者が遊園地から退場するとき、ＩＤタグ２を入退場登録機５のゲート装置５３に挿入する。ゲート装置５３が、ＩＤタグ２を検出すると、ＣＰＵ５１は来場者が退場するものと認識して、ＩＤタグ２からＩＤコードを読み出して課金装置４にＩＤコードを通信回路５４を介して出力する。課金装置４は、ＩＤコードを通信回路４３を介して入力すると、そのＩＤコードを画像管理装置３に出力する。
【００２７】
画像管理装置３のＣＰＵ３１は、画像管理メモリ３４の内容を検索して、課金装置４から入力したＩＤコードに関連付けられている画像データの件数を計数し、課金装置４へ出力する。またＣＰＵ３１は、課金装置４から入力したＩＤコードに関連付けられた画像データをプリンタ３５に出力する。プリンタ３５は、この画像データをプリントして来場者に提供する。課金装置４は、画像管理装置３から入力した件数に対応する撮影料金を撮影料金表４５から求め、ディスプレイ４２に撮影料金を表示する。来場者が撮影料金を集金装置４４に投入すると、集金装置４４はこれを収納し、ＣＰＵ４１は入退場登録機５に集金終了を表す信号を出力する。入退場登録機５は集金終了を表す信号を入力すると、ゲート装置５３を開き、来場者が退場できるようになる。
【００２８】
以上説明した本実施の形態の撮影管理ステムを使用すると、次のような効果を奏する。
（１）ＩＤタグ２を使用することにより、撮影管理システムは、撮影ロボット１で撮影した画像データと来場者とを関連付けることができる。これにより、撮影管理システムは、来場者ごとに画像データを適切にかつ容易に管理することができる。また、遊園地などで複数の来場者がいても、適切にかつ容易に管理することができる。
（２）ＩＤタグ２は無線でＩＤコードを送信するので、来場者は単にポケットなどにＩＤタグ２を携帯しているだけでよい。撮影ロボット１は、ＩＤタグ２から送信されるＩＤコードを受信して来場者を認識するので、来場者は特別な操作をせずに、撮影ロボット１は来場者を認識できる。
（３）来場者は、複数の撮影ロボット１で撮影された画像データによるプリントを、退場時にまとめて受け取ることができる。また、来場者は料金も退場時にまとめて支払うことができる。
（４）撮影管理システムは、来場者が遊園地への入場するのを入退場登録機５で検出し、ＩＤタグ発券機６でＩＤタグ２を発行するので、確実にＩＤタグ２を発行することができる。
（５）また、撮影管理システムは、来場者の退場を入退場登録機５で検出するので、撮影料金の課金を確実に行うことができる。また、課金装置４とゲート装置５３と連動させることにより、料金の収納を確実に行うことができる。
（６）来場者は、自分でカメラを携帯する必要はなく、遊園地内の撮影ロボット１がいる所で写真撮影することが可能である。従って、自分のカメラのフィルムの残コマ数やメモリカードの残容量などを気にする必要もない。また、バッテリーの心配をする必要もない。
（７）画像管理装置３で画像データを管理するので、撮影ロボット１の記憶容量に制限がある場合でも、撮影管理システムは適切に画像データを管理することができる。
（８）撮影ロボット１は内部に遊園地マップを持っていれば、ＧＰＳ装置の現在地データと遊園地内のマップと対応づけて、遊園地内のアトラクション名と画像データとをＩＤコードに関連付けられるので、ディスプレイ４２に撮影場所の名称を表示できる。しかも、画像管理装置３が撮影場所の記録を行うので、来場者は撮影場所の名称をマニュアルで画像管理装置３に入力する必要もない。
（９）課金装置４は、撮影料金表（テーブル）を有するので、撮影した画像データの件数に応じて容易に料金を計算することができる。
【００２９】
なお、上記の実施の形態では、遊園地での撮影管理システムの例で説明をしたが、本発明は遊園地に限定する必要はない。遊園地以外の観光施設であってもよい。また、屋外屋内どちらであってもよい。すなわち、所定のエリアに来場する者を対象にした撮影管理システムであればどのようなものでもよい。所定のエリアは、写真撮影が可能な場所のある観光施設ともいえる。
【００３０】
また、上記の実施の形態では、撮影ロボット１は独立走行可能な例で説明をしたが、この内容に限定する必要はない。撮影ロボットは、ある場所に固定されていてもよい。
【００３１】
また、上記の実施の形態では、入場券をゲート装置に挿入することによりＩＤタグ２を発行する例で説明をしたが、この内容に限定する必要はない。入場券とＩＤタグとが一体のものであってもよい。
【００３２】
また、上記の実施の形態では、ＩＤタグ２を使用する例で説明をしたが、この内容に限定する必要はない。来場者を識別できる情報を無線で送信できるものであればどのようなものでもよい。
【００３３】
また、上記の実施の形態では、プリンタ３５で画像データをプリントして提供する例で説明をしたが、この内容に限定する必要はない。後日、プリントを郵送するようにしてもよい。また、画像データをインターネットを介して送信するようにしてもよい。すなわち、撮影した画像データを提供する手段はどのような手段であってもよい。
【００３４】
また、上記の実施の形態では、撮影ロボット１は分割された区画を担当するようにしている例で説明をしたが、この内容に限定する必要はない。区画を分割せず、遊園地内全体を自由に走行するようにしてもよい。さらに、１台の撮影ロボット１を一人の来場者の専属にして、来場者の行動に追随させるようにしてもよい。
【００３５】
上記では、種々の実施の形態および変形例を説明したが、本発明はこれらの内容に限定されるものではない。本発明の技術的思想の範囲内で考えられるその他の態様も本発明の範囲内に含まれる。
【００３６】
【発明の効果】
本発明は、以上説明したように構成しているので、次のような効果を奏する。携帯可能であり、携帯者を識別する識別情報を無線で送信する識別情報記録手段を使用するので、撮影した画像データと被写体とを関連付けることができる。これにより、被写体ごとに画像データを適切にかつ容易に管理することができる。特に、遊園地などで複数の来場者がいても、適切にかつ容易に園内で撮影した画像データを管理することができる。
【図面の簡単な説明】
【図１】本発明の一実施形態である遊園地の撮影管理システムの構成を示すブロック図である。
【図２】撮影ロボットの構成を示すブロック図である。
【図３】ＩＤタグの構成を示す図である。
【図４】画像管理装置の構成と課金装置の構成を示す図である。
【図５】入退場登録機の構成とＩＤタグ発券機の構成を示す図である。
【図６】画像管理メモリのデータ構成の一例を示す図である。
【符号の説明】
１  撮影ロボット
２  ＩＤタグ
３  画像管理装置
４  課金装置
５  入退場登録機
６  ＩＤタグ発券機
【図１】
2005020388.tif 000003
【図２】
2005020388.tif 000004
【図３】
2005020388.tif 000005
【図４】
2005020388.tif 000006
【図５】
2005020388.tif 000007
【図６】
2005020388.tif 000008